(57)【要約】【課題】建物内に、太陽光の導入量を増加させ、室内環境を向上させる。【解決手段】太陽光採光ユニット２０は、建物１１の外壁部１２から外方に向かって突出するよう設けられる中空箱状のユニット本体２５と、ユニット本体２５の、外壁部１２から離間した先端部側に形成され、ユニット本体２５内に太陽光Ｓ０を導入する第一採光部および第二採光部と、ユニット本体２５内に設けられ、第一採光部および第二採光部で導入された太陽光Ｓ０の進行方向を、ユニット本体２５の外壁部１２側の基端部に向かって変換させる導光部８０と、ユニット本体２５の基端部に設けられ、導光部８０で進行方向が変換された太陽光Ｓ１を、外壁部１２側に向かって出射する後部出射部と、を備える。【選択図】図１
2017142979.tif 000002
【特許請求の範囲】
【請求項１】
建物の外壁部から外方に向かって突出するよう設けられる中空箱状のユニット本体と、
前記ユニット本体の、前記外壁部から離間した先端部側に形成され、前記ユニット本体内に太陽光を導入する先端側採光部と、
前記ユニット本体内に設けられ、前記先端側採光部で導入された前記太陽光の進行方向を、前記ユニット本体の前記外壁部側の基端部に向かって変換させる太陽光進行方向変換部と、
前記ユニット本体の前記基端部に設けられ、前記太陽光進行方向変換部で進行方向が変換された前記太陽光を、前記外壁部側に向かって出射する太陽光出射部と、
を備えることを特徴とする太陽光採光ユニット。
【請求項２】
前記ユニット本体の上面に形成され、前記太陽光を前記外壁部側に向かって反射する上面太陽光反射部をさらに備えることを特徴とする請求項１に記載の太陽光採光ユニット。
【請求項３】
前記ユニット本体の上面の一部に形成され、前記太陽光を透過する太陽光透過部と、
前記ユニット本体の内部に、前記太陽光透過部を透過して前記ユニット本体内に導入された前記太陽光を、前記太陽光出射部側に向かって反射する本体内反射部と、を備える
ことを特徴とする請求項１または２に記載の太陽光採光ユニット。
【請求項４】
前記先端側採光部は、前記ユニット本体の前記先端部の上面に形成された第一採光部と、前記ユニット本体の前記先端部の鉛直面に形成された第二採光部と、を有する
ことを特徴とする請求項１から３のいずれか一項に記載の太陽光採光ユニット。
【請求項５】
請求項１から４のいずれか一項に記載の太陽光採光ユニットと、
前記太陽光採光ユニットが取り付けられた建物の外壁部を貫通して形成され、前記太陽光出射部から出射される前記太陽光を前記建物内に導入する第一太陽光導入部と、
前記建物内で前記外壁部に対向する間仕切壁を貫通して形成され、前記第一太陽光導入部を通して導入された前記太陽光を、前記間仕切壁に対して前記外壁部の反対側に位置する室内空間に導入する第二太陽光導入部と、
を備えることを特徴とする太陽光採光システム。
【発明の詳細な説明】
【技術分野】
【０００１】
本発明は、建物内部に太陽光を採り入れる太陽光採光ユニット、太陽光採光システムに関する。
【背景技術】
【０００２】
建物内の空間は、窓や開口を通して太陽光が射し込むことで、外部からの採光がなされる。曇天時や雨天時、夜間等、太陽光による採光が不足する場合、室内に設けた照明により、室内の照度を確保している。
自然光の取り込みによる室内環境の向上、照明における消費電力の削減等を目的とし、太陽光を、より積極的に建物内に導入する工夫がなされている。
【０００３】
例えば特許文献１には、建物の外壁から外方に突出する庇の上面に、太陽光を反射する光反射部を備えたライトシェルフが開示されている。このライトシェルフにおいては、庇の上面の光反射部で反射した太陽光が、建物の外壁部に設けられた窓や開口を通して室内に照射される。
特許文献１に開示されたようなライトシェルフでは、建物内の空間において、庇の上面の光反射部で反射した太陽光が照射される領域が限られる。すなわち、反射した太陽光は、太陽光が通る窓や開口に隣接した空間（室）のみに照射され、それ以外の空間に太陽光を導くことができない。
【０００４】
また、特許文献２には、建物内に設けられ、建物の外壁部に照射される太陽光をプリズムや反射材を介して水平方向に進行させることで、太陽光を室内に導く光ダクトが開示されている。
特許文献２に開示されたような光ダクトでは、利用できる太陽光は、建物の外壁部に設けられた開口に照射される太陽光に限られる。したがって、太陽光の採光量が限られる。
【先行技術文献】
【特許文献】
【０００５】
【特許文献１】特開２０１３−０３８０１３号公報
【特許文献２】特開２０１３−１８２７２５号公報
【発明の概要】
【発明が解決しようとする課題】
【０００６】
本発明の目的は、採光量の増加と、建物外皮に面さない居室への太陽光の導入が可能な、太陽光採光ユニット、太陽光採光システムを提供することである。
【課題を解決するための手段】
【０００７】
本発明は、上記課題を解決するため、以下の手段を採用する。
すなわち、本発明の太陽光採光ユニットは、建物の外壁部から外方に向かって突出するよう設けられる中空箱状のユニット本体と、前記ユニット本体の、前記外壁部から離間した先端部側に形成され、前記ユニット本体内に太陽光を導入する先端側採光部と、前記ユニット本体内に設けられ、前記先端側採光部で導入された前記太陽光の進行方向を、前記ユニット本体の前記外壁部側の基端部に向かって変換させる太陽光進行方向変換部と、前記ユニット本体の前記基端部に設けられ、前記太陽光進行方向変換部で進行方向が変換された前記太陽光を、前記外壁部側に向かって出射する太陽光出射部と、を備えることを特徴とする。
【０００８】
このような構成によれば、建物の外壁部から外方に向かって突出したユニット本体の先端側採光部から太陽光を導入する。導入された太陽光は、太陽光進行方向変換部で進行方向が変更されることで、ユニット本体の基端部側に進行し、太陽光出射部から出射される。したがって、このような太陽光採光ユニットを建物の外壁部に設置し、外壁部で太陽光出射部に対向する位置に開口部や窓を設けることで、建物内に太陽光を採り入れることができる。
ここで、太陽光採光ユニットは、建物の外壁部から外方に向かって突出して設けたので、先端側採光部の面積を大きくすることも容易であり、外壁部から太陽光を採り入れる場合に比較し、太陽光を、より積極的に採り入れることができる。
また、外壁部から外方に突出する太陽光採光ユニットは、外壁部に形成された開口部や窓の上方に設けることで、庇として機能させることができ、開口部や窓から建物内に太陽光が進入するのを防ぐこともできる。
【０００９】
本発明の一態様においては、本発明の太陽光採光ユニットは、前記ユニット本体の上面に形成され、前記太陽光を前記外壁部側に向かって反射する上面太陽光反射部をさらに備える。
【００１０】
このような構成によれば、上面太陽光反射部で太陽光を外壁部側に反射することで、外壁部に形成された開口部や窓から建物内に採り入れる太陽光をさらに増加させることができる。
【００１１】
本発明の一態様においては、本発明の太陽光採光ユニットは、前記ユニット本体の上面の一部に形成され、前記太陽光を透過する太陽光透過部と、前記ユニット本体の内部に、前記太陽光透過部を透過して前記ユニット本体内に導入された前記太陽光を、前記太陽光出射部側に向かって反射する本体内反射部と、を備える。
【００１２】
このような構成によれば、先端側採光部に加えて、上面に形成した太陽光透過部からも、ユニット本体内に太陽光を採り入れることができる。太陽光透過部からユニット本体内に導入された太陽光は、本体内反射部で太陽光出射部側に向かって反射させて、太陽光を、より積極的に建物内に採り入れる。
また、先端側採光部からユニット本体内に導入された太陽光のうち内面反射して放出された太陽光は、太陽光採光ユニットの上方で外壁部に形成された開口部や窓から、建物内に入射させることもできるので利用性が向上する。
【００１３】
本発明の一態様においては、本発明の太陽光採光ユニットは、前記先端側採光部が、前記ユニット本体の前記先端部の上面に形成された第一採光部と、前記ユニット本体の前記先端部の鉛直面に形成された第二採光部と、を有する。
【００１４】
このような構成によれば、先端側採光部で太陽光が透過する採光面積を大きく確保することができる。ユニット本体の先端部の前面と鉛直面を太陽光が透過するので、より広い領域の太陽高度の太陽からの光を採り入れることができる。
【００１５】
本発明の太陽光採光システムは、上記したような太陽光採光ユニットと、前記太陽光採光ユニットが取り付けられた建物の外壁部を貫通して形成され、前記太陽光出射部から出射される前記太陽光を前記建物内に導入する第一太陽光導入部と、前記建物内で前記外壁部に対向する間仕切壁を貫通して形成され、前記第一太陽光導入部を通して導入された前記太陽光を、前記間仕切壁に対して前記外壁部の反対側に位置する室内空間に導入する第二太陽光導入部と、を備えることを特徴とする。
【００１６】
このような構成によれば、太陽光採光ユニットの先端側採光部から導入し、建物内に採り入れた太陽光を、第一太陽光導入部、第二太陽光導入部を経て、間仕切壁に対して外壁部の反対側に位置する室内空間に導入される。建物内において、外壁部に面していない内側の室内空間に太陽光を採り入れることができる。
【発明の効果】
【００１７】
本発明によれば、建物内に、太陽光の導入量を増加させ、室内環境を向上させることが可能となる。
【図面の簡単な説明】
【００１８】
【図１】太陽光採光システムの構成を示す断面図である。
【図２】図１の太陽光採光システムを構成する太陽光採光ユニットを示す断面図である。
【図３】太陽光採光システムを構成する太陽光採光ユニットの第１変形例の構成を示す断面図である。
【図４】太陽光採光システムを構成する太陽光採光ユニットの第１変形例の構成を示す平面図である。
【図５】太陽光採光システムを構成する太陽光採光ユニットの第２変形例の構成を示す断面図である。
【図６】太陽光採光システムを構成する太陽光採光ユニットの第２変形例のさらに他の構成を示す断面図である。
【図７】太陽光採光システムを構成する太陽光採光ユニットの第３変形例の構成を示す断面図である。
【図８】太陽光採光システムの第４変形例の構成を示す断面図である。
【図９】太陽光採光システムの第５変形例の構成を示す断面図である。
【図１０】太陽光採光システムの第６変形例の構成を示す断面図である。
【図１１】太陽光採光システムの第７変形例の構成を示す断面図である。
【図１２】太陽光採光システムの第８変形例の構成を示す断面図である。
【図１３】太陽光採光システムの第９変形例の構成を示す断面図である。
【発明を実施するための形態】
【００１９】
以下、添付図面を参照して、本発明による太陽光採光ユニット、太陽光採光システムを実施するための形態について、図面に基づいて説明する。
【００２０】
太陽光採光システム１０を図１に示す。太陽光採光システム１０は、建物１１の外壁部１２から外方に突出するよう設けられた太陽光採光ユニット２０と、建物１１の外壁部１２に形成された外壁側光導入部（第一太陽光導入部）１３と、建物１１内に設けられた内壁側光導入部（第二太陽光導入部）１４と、を備える。
【００２１】
建物１１は、住宅、事務所等、用途を問うものではない。
図１、図２に示されるように、建物１１において、太陽光採光ユニット２０が設けられる外壁部１２には、下部開口部１５と、上部開口部１６とが形成されている。下部開口部１５，上部開口部１６には、それぞれ光透過性を有した窓部材１５ｗ、１６ｗが設けられているが、これら下部開口部１５，上部開口部１６は、窓部材１５ｗ、１６ｗを有さない単なる開口であってもよい。
【００２２】
外壁側光導入部１３は、下部開口部１５と上部開口部１６との間に設けられ、外壁部１２に形成された開口部１７と、開口部１７に設けられた光透過性を有した窓部材（窓）１８と、を備えている。
【００２３】
図１に示されるように、内壁側光導入部１４は、外壁部１２に面する外壁側室内空間Ｒにおいて、外壁部１２と対向する間仕切壁１９に形成されている。内壁側光導入部１４は、間仕切壁１９に形成された開口であり、外壁側光導入部１３と水平方向で対向するよう形成されている。
【００２４】
図２に示される太陽光採光ユニット２０は、導入された太陽光の進行方向を変換させて、室内空間に向かってへ出射する。太陽光採光ユニット２０は、ユニット本体２５と、後述する導光部８０を備える。
ユニット本体２５は、下部開口部１５の上方、かつ上部開口部１６の下方に、外壁部１２から水平方向外方に突出するよう設けられ、太陽光採光ユニット２０の外殻を形成している。
ここで、外壁部１２からユニット本体２５が突出する方向を「前方」、外壁部１２側を「後方」、前方と後方を結ぶ方向に水平面内で交差する方向を「幅方向」と適宜称する。
ユニット本体２５は、中空箱状をなし、底板部３０と、側板部４０，４０（図２には、一方の側板部４０のみを図示）と、上板部５０と、第二採光部（先端側採光部）６０と、後部出射部（太陽光出射部）７０と、導光部（太陽光進行方向変換部）８０と、を備えている。
【００２５】
底板部３０は、前部平板部３１と、後部平板部３２と、中間反射部（本体内反射部）３３と、を備えている。
【００２６】
前部平板部３１は、水平面内に位置し、底板部３０の前方に、前後方向に一定長を有して形成されている。前部平板部３１の前端部には、前方に向かって斜め上方に傾斜する前端傾斜面３１ｎが形成されている。
【００２７】
後部平板部３２は、水平面内に位置し、底板部３０の後方に、前後方向に一定長を有して形成されている。後部平板部３２は、前部平板部３１よりも下方に位置して形成されている。
【００２８】
中間反射部３３は、前部平板部３１と後部平板部３２との間に形成されている。中間反射部３３は、前部平板部３１の後縁部から後方に向かって、所定の傾斜角θで斜め下方に傾斜して形成され、後部平板部３２の前縁部に連続している。この中間反射部３３は、後述する上板部５０に形成される中間透過部５３から入射する光を、水平方向後方に向かって反射するよう、傾斜角θが設定されている。
ここで、中間反射部３３の傾斜角θは、主に太陽光を取り込みたい太陽高度（水平面に対する太陽光の照射角度）をＨとしたとき、例えば、
θ＝Ｈ／２
とする。
【００２９】
前部平板部３１の上面３１ｔ、後部平板部３２の上面３２ｔ、中間反射部３３の上面３３ｔは、研磨やコーティング等を施すことで高い反射率を有する鏡面加工がなされ、光を反射する反射面を形成している。
【００３０】
側板部４０，４０は、底板部３０の幅方向両端から直交して上方に立ち上がるよう形成されている。側板部４０の内側面も、研磨やコーティング等を施すことで高い反射率を有する鏡面加工がなされ、光を反射する反射面を形成している。
【００３１】
上板部５０は、底板部３０に対し、上下方向に間隔を空け、かつ、上板部５０の内側表面である下面５２ｕ、５４ｕと、底板部３０の内側表面である上面３１ｔ、３２ｔが、互いに水平に位置するよう設けられている。上板部５０は、第一採光部（先端側採光部）５１と、前部反射部５２と、中間透過部（太陽光透過部）５３と、後部反射部５４と、を備えている。
【００３２】
第一採光部５１は、光透過性を有した、例えばガラス材料、ポリカーボネート、アクリル等の樹脂材料から形成され、太陽光Ｓ０が第一採光部５１を通してユニット本体２５内に入射するようになっている。この第一採光部５１は、太陽光採光ユニット２０の先端部２０ｆから後方に向かって所定長の長さで形成されている。本第一採光部５１と、後述する第二採光部６０によって形成された先端側採光部によって、太陽光採光ユニット２０の先端部に照射された太陽光Ｓ０が、太陽光採光ユニット２０内に導入される。第一採光部５１の上面は、雨水等による汚れの付着を防ぐため、防汚処理等を施すのが好ましい。
【００３３】
前部反射部５２は、上板部５０の外表面であって、第一採光部５１の後方に連続して前後方向に一定長を有して設けられている。上板部５０の前部反射部５２の下面５２ｕは、研磨やコーティング等を施すことで高い反射率を有する鏡面加工がなされ、光を反射する水平反射面を形成している。また、前部反射部５２の上面（上面太陽光反射部）５２ｔは、例えば白色の塗装を施すこと等による、光拡散反射面を形成している。
【００３４】
中間透過部５３は、上板部５０の前部反射部５２の後方に連続して前後方向に一定長Ｌを有して設けられている。中間透過部５３は、光透過性を有した、例えばガラス材料、ポリカーボネート、アクリル等の樹脂材料から形成され、太陽光Ｓ３が中間透過部５３を通してユニット本体２５内に入射するようになっている。この中間透過部５３の上面は、雨水等による汚れの付着を防ぐため、防汚処理等を施すのが好ましい。
また、この中間透過部５３によって、第一採光部５１からユニット本体２５の内部に入射した太陽光Ｓ０のうち、底板部３０の前部平板部３１の上面３１ｔと、上板部５０の前部反射部５２の下面５２ｕとの間で反射した太陽光Ｓ２が、上方かつ斜め後方に向かって透過させることができる。透過光は上部開口部１６から建物１１内に取り込むことで有効利用できる。
【００３５】
この中間透過部５３の下方には、上記底板部３０の中間反射部３３が配置されている。ここで、上板部５０に形成される中間透過部５３から入射する光は、傾斜角θで傾斜した中間反射部３３で反射し、水平方向後方に向かう。
【００３６】
後部反射部５４は、上板部５０の中間透過部５３の後方に連続して前後方向に一定長を有して設けられている。後部反射部５４の下面５４ｕは、研磨やコーティング等を施すことで高い反射率を有する鏡面加工がなされ、光を反射する水平反射面を形成している。また、後部反射部５４の上面（上面太陽光反射部）５４ｔは、例えば白色の塗装を施すこと等による、光拡散反射面を形成している。
【００３７】
第二採光部６０は、太陽光採光ユニット２０の先端部２０ｆで、底板部３０の前部平板部３１と上板部５０の第一採光部５１との間を塞ぐよう、鉛直面内に位置して設けられている。第二採光部６０は、板状で、光透過性を有した、例えばガラス材料、ポリカーボネート、アクリル等の樹脂材料から形成され、太陽光Ｓ０が第二採光部６０を通してユニット本体２５内に入射するようになっている。この第二採光部６０の外側面には、雨水等による汚れの付着を防ぐため、防汚処理等を施すのが好ましい。
【００３８】
後部出射部７０は、太陽光採光ユニット２０の基端部２０ｒで、底板部３０の後部平板部３２と上板部５０の後部反射部５４との間を塞ぐよう、鉛直面内に位置して設けられている。後部出射部７０は、板状で、光透過性を有した、例えばガラス材料、ポリカーボネート、アクリル等の樹脂材料から形成されている。この後部出射部７０の外側面には、雨水等による汚れの付着を防ぐため、防汚処理等を施すのが好ましい。
【００３９】
このように、ユニット本体２５は、底板部３０と、側板部４０，４０と、上板部５０と、第二採光部６０と、後部出射部７０とにより、上下方向両側、前後方向両側、幅方向両側がそれぞれ閉塞されることで、略直方体状の中空箱状をなしている。さらに、ユニット本体２５は、底板部３０、側板部４０，４０、上板部５０、第二採光部６０、後部出射部７０を構成する各部材が、シール部材等を介して接合されて密閉構造をなし、外部から水分や埃などが侵入しないようになっている。
【００４０】
導光部８０は、太陽光採光ユニット２０の先端部２０ｆで、ユニット本体２５の内部に設けられている。導光部８０は、太陽光採光ユニット２０の先端部２０ｆに設けられた第一採光部５１と第二採光部６０を透過してユニット本体２５内に入射した太陽光Ｓ０を、水平方向後方に向かって進行させる。この導光部８０は、いかなる構成のものでもよいが、例えば、屈折体８１，８２を備えることができる。屈折体８１は、側断面視略台形状をなしている。また、屈折体８２は、断面視略三角形状をなしている。これら屈折体８１、８２は、それぞれ、ガラス、水晶、樹脂などで形成され、その形成面８１ａ，８１ｂ，８１ｃ，８１ｄ、８２ａ，８２ｂ，８２ｃで、太陽光Ｓ０を反射又は屈折させることで、太陽光Ｓ０の進行方向を変える。
【００４１】
上記のように、太陽光採光ユニット２０は、ユニット本体２５と導光部８０を備えている。このような太陽光採光ユニット２０は、基端部２０ｒを建物１１の外壁部１２に突き当て、後部出射部７０が外壁側光導入部１３の開口部１７に対向するよう設けられる。
太陽光採光ユニット２０の外壁部１２への取り付け方法は、いかなるものであってもよいが、ここでは、例えば、棒材または線材からなる支持材９２Ａ，９２Ｂを用いる。支持材９２Ａは、一端が外壁部１２に固定され、他端が太陽光採光ユニット２０の先端部２０ｆの上面に固定された取付金具９３Ａに連結されている。支持材９２Ｂは、一端が外壁部１２に固定され、他端が太陽光採光ユニット２０の基端部２０ｒの上面に固定された取付金具９３Ｂに連結されている。
太陽光採光ユニット２０の基端部２０ｒと、外壁側光導入部１３の窓部材１８との間には、隙間Ｇが設けられている。
【００４２】
このような太陽光採光ユニット２０では、太陽光Ｓ０が、先端部２０ｆに設けられた第一採光部５１と第二採光部６０を透過して太陽光採光ユニット２０内に入射する。入射した太陽光Ｓ０は、導光部８０を構成する屈折体８１，８２で水平方向に進行方向が変換される。太陽光採光ユニット２０内で、水平方向に進行する太陽光Ｓ１は、後部出射部７０、外壁側光導入部１３の窓部材１８を通り、建物１１内に導かれる。
また、太陽光Ｓ３は、上板部５０の中間透過部５３を通して、太陽光採光ユニット２０内に入射する。このとき、太陽高度がＨであった場合、入射した太陽光Ｓ３は、底板部３０の中間反射部３３で反射し、水平方向に進行する。太陽光採光ユニット２０内で水平方向に進行する太陽光Ｓ４は、後部出射部７０、外壁側光導入部１３の窓部材１８を通り、建物１１内に入射される。
【００４３】
図１に示されるように、建物１１内に入射した太陽光Ｓ１、Ｓ４は、外壁部１２に面する外壁側室内空間Ｒを通り、間仕切壁１９に形成された内壁側光導入部１４に至る。これにより、間仕切壁１９に対して外壁側室内空間Ｒの反対側、つまり、外壁部１２に面していない室内空間Ｒ２に、内壁側光導入部１４を通して太陽光Ｓ１、Ｓ４を導くことができる。太陽光Ｓ１、Ｓ４は、室内空間Ｒ２において内壁側光導入部１４と反対側の壁面Ｗで反射および拡散することで、室内空間Ｒ２を自然光により照明する。
【００４４】
また、図２に示されるように、太陽光採光ユニット２０では、太陽光Ｓ６を、上板部５０の前部反射部５２の上面５２ｔと後部反射部５４の上面５４ｔとで反射する。図１に示されるように、反射した太陽光Ｓ７は、建物１１の外壁部１２に形成された上部開口部１６を通して外壁側室内空間Ｒに入射し、外壁側室内空間Ｒの天井Ｔ等で反射、散乱し、外壁側室内空間Ｒを自然光により照明する。
【００４５】
また、図２に示されるように、太陽光採光ユニット２０では、第一採光部５１から太陽光採光ユニット２０の内部に入射した太陽光Ｓ０のうち、底板部３０の前部平板部３１の上面３１ｔと、上板部５０の前部反射部５２の下面５２ｕとの間で反射した太陽光Ｓ２が、中間透過部５３を上方かつ斜め後方に向かって透過する。透過した太陽光Ｓ２は、建物１１の外壁部１２に形成された上部開口部１６を通して外壁側室内空間Ｒに入射し、外壁側室内空間Ｒの天井Ｔ等で反射、散乱し、外壁側室内空間Ｒを自然光により照明する。
【００４６】
上述したような太陽光採光ユニット２０によれば、建物１１の外壁部１２から外方に向かって突出したユニット本体２５の第一採光部５１および第二採光部６０から太陽光Ｓ０を導入する。導入された太陽光Ｓ０は、導光部８０で進行方向が変更されることで、ユニット本体２５の基端部２０ｒ側に進行し、後部出射部７０から出射される。したがって、このような太陽光採光ユニット２０を建物１１の外壁部１２に設置し、外壁部１２で後部出射部７０に対向する位置に開口部１７および窓部材１８を設けることで、建物１１内に太陽光Ｓ１を採り入れることができる。建物１１内に採り入れられた太陽光Ｓ１は、外壁側光導入部１３、内壁側光導入部１４を経て、間仕切壁１９に対して外壁部１２の反対側に位置する室内空間Ｒ２に導入される。つまり、建物１１内において、外壁部１２に面していない内方の室内空間Ｒ２に太陽光Ｓ１を採り入れることができる。
ここで、太陽光採光ユニット２０は、建物１１の外壁部１２から外方に向かって突出して設けたので、先端側採光部として第一採光部５１および第二採光部６０を設け、採光面積を大きくすることができる。これにより、ユニット本体２５の先端部で第一採光部５１および第二採光部６０を太陽光が透過するので、より広い領域の太陽高度で、太陽光Ｓ０を採り入れることができる。これにより、外壁部１２から太陽光を採り入れる場合に比較し、太陽光Ｓ０を、より積極的に採り入れることができる。
【００４７】
また、外壁部１２から外方に突出する太陽光採光ユニット２０は、外壁部１２に形成された下部開口部１５の上方に設けることで、庇として機能させることができ、下部開口部１５から建物１１内にグレア源となる太陽光が進入するのを防ぐこともできる。
【００４８】
さらに、前部反射部５２、後部反射部５４の上面５２ｔ、５４ｔで、太陽光Ｓ６を外壁部１２側に反射することで、外壁部１２に形成された上部開口部１６から建物１１内に太陽光Ｓ７を採り入れることができる。
【００４９】
また、第一採光部５１および第二採光部６０に加えて、中間透過部５３からも、ユニット本体２５内に太陽光Ｓ３を採り入れることができる。中間透過部５３からユニット本体２５内に導入された太陽光Ｓ３を、中間反射部３３で後部出射部７０側に向かって反射することで、太陽光Ｓ４を、より積極的に建物１１内に採り入れることができる。
さらに、第一採光部５１および第二採光部６０からユニット本体２５内に導入された太陽光Ｓ０のうち、後部出射部７０側に進行しない太陽光Ｓ２を、中間透過部５３から外部に放出することもできる。放出された太陽光Ｓ２は、太陽光採光ユニット２０の上方で外壁部１２に形成された上部開口部１６から、建物１１内に入射させることができる。
【００５０】
このようにして、建物１１内に太陽光Ｓ１、Ｓ２、Ｓ４、Ｓ７を導入し、より積極的に建物１１内に採り入れることが可能となる。これにより、自然光を得にくい、例えば北側の室内空間Ｒ２に太陽光Ｓ１，Ｓ４を採光することで、自然光の分光組成や可変性のもたらす生理・心理的影響を居住者に与え、室内環境を向上させることが可能となる。
【００５１】
また、太陽光採光ユニット２０の基端部２０ｒと、外壁側光導入部１３の窓部材１８との間に隙間Ｇが設けられているため、太陽光採光ユニット２０の設置作業等において、太陽光採光ユニット２０と窓部材１８の衝突を防止することができる。また、太陽光採光ユニット２０の設置後、風等で太陽光採光ユニット２０が揺れた際に窓部材１８等と当たって音が生じるのを抑えることができる。さらに、隙間Ｇを風抜きとすることで、太陽光採光ユニット２０が風によって受ける力を低減することができる。また、支持材９２Ａ，９２Ｂを操作して太陽光採光ユニット２０を移動させることにより、後部出射部７０や窓部材１８の清掃を容易に行うことが可能である。
【００５２】
（実施形態の第1変形例）
なお、本発明の太陽光採光ユニット、太陽光採光システムは、図面を参照して説明した上述の実施形態に限定されるものではなく、その技術的範囲において様々な変形例が考えられる。
例えば、上記実施形態では、中間反射部３３を底板部３０の一部として形成したが、これに代えて、図３、図４に示されるように、太陽光採光ユニット２０内で底板部３０の上方に、底板部３０とは別体の中間反射部（本体内反射部）３３’を設けてもよい。
さらには、中間反射部３３’を太陽光採光ユニット２０の幅方向に延びる回転軸３３ｓ回りに回動可能とし、太陽高度Ｈに応じて中間反射部３３’を回転させ、太陽光Ｓ３の反射角度を変えるようにしてもよい。この場合、中間反射部３３’には、幅方向少なくとも一方の側板部４０を貫通して太陽光採光ユニット２０の外方に突出する操作部９１を設けるようにし、太陽光採光ユニット２０の外部から中間反射部３３’の角度を調整するようにしてもよい。ここで、操作部９１は、外壁部１２に形成された下部開口部１５を通して、外壁側室内空間Ｒ側から人の手が届く位置とするのが好ましい。
【００５３】
このような構成により、太陽光Ｓ３の高度に応じて中間反射部３３’の角度を調整することで、太陽光Ｓ３を、より積極的に建物１１内に採り入れることができる。
【００５４】
（実施形態の第２変形例）
図５は、太陽光採光システムを構成する太陽光採光ユニットの第２変形例の構成を示す断面図である。図５に示されるように、太陽光採光ユニット２０の第二採光部６０を透過した太陽光Ｓ９が、そのまま外壁側光導入部１３の窓部材１８を透過して外壁側室内空間Ｒに入射されてグレア源になることがある。また、太陽光採光ユニット２０の高さと外壁側光導入部１３の開口部１７の高さが異なる場合等においては、太陽光採光ユニット２０の後部反射部５４の上面５４ｔと開口部１７の上端部間に隙間が生じ、この隙間から直接入射される太陽光Ｓ１０がグレア源となることがある。このような場合には、外壁側光導入部１３の下側にブラインドボックス９４等を設けて遮光してもよい。
また、これらの場合に、図６に示されるように、外壁側光導入部１３にルーバー９５を設けてもよい。
【００５５】
（実施形態の第３変形例）
図７は、太陽光採光システムを構成する太陽光採光ユニットの第３変形例の構成を示す断面図である。図７に示されるように、太陽光採光ユニット２０の上板部５０の後部反射部５４’は、上面５４ｔ’を後方に向かって斜め下方に傾斜して設けてもよい。このようにすると、後部反射部５４’で反射した太陽光Ｓ１１が、上部開口部１６を通して室内空間Ｒに入射する。すると、太陽光Ｓ１１は、天井Ｔを照らす位置が下方の開口部１７に近くなり、より効果的に室内に入射される。この場合、後部反射部５４’の後端部に、雨水を幅方向側方に導く雨水ガイド９６を設けるのが好ましい。
【００５６】
（実施形態の第４変形例）
さらに、上記実施形態では、太陽光採光ユニット２０によって外壁側室内空間Ｒに導かれ、建物１１内に入射した太陽光Ｓ１、Ｓ４は、外壁側室内空間Ｒの反対側の内壁側光導入部１４を通り、他の室内空間Ｒ２に導かれる。このような構成において、他の室内空間Ｒ２内に入射された太陽光Ｓ１、Ｓ４は、室内空間Ｒ２において内壁側光導入部１４と反対側の壁面Ｗで反射および拡散するようにしたが、これに限らない。
図８は、太陽光採光システムの第４変形例の構成を示す断面図である。図８に示されるように、内壁側光導入部１４に、光拡散部材１００を設けて、太陽光Ｓ１、Ｓ４を室内空間Ｒ２に拡散させるようにしても良い。これによって、室内空間Ｒ２を太陽光Ｓ１、Ｓ４によって効率よく照明することができる。
【００５７】
（実施形態の第５変形例）
図９は、太陽光採光システムの第５変形例の構成を示す断面図である。図９に示されるように、内壁側光導入部１４に、光反射部材（室内側太陽光進行方向変換部）１０１を設けて、太陽光Ｓ１、Ｓ４を室内空間Ｒ２の天井部Ｔ２に向かって照射させ、天井部Ｔ２を照明するようにしてもよい。これによって、室内空間Ｒ２を太陽光Ｓ１、Ｓ４によって効率よく照明することができる。
【００５８】
（実施形態の第６変形例）
図１０は、太陽光採光システムの第６変形例の構成を示す断面図である。図１０に示されるように、内壁側光導入部１４に、光反射部材（室内側太陽光進行方向変換部）１０２を設けて、太陽光Ｓ１、Ｓ４を室内空間Ｒ２の床Ｆに向かって反射させ、照明するようにしてもよい。これによって、室内空間Ｒ２を太陽光Ｓ１、Ｓ４によって効率よく照明することができる。
【００５９】
（実施形態の第７変形例）
図１１は、太陽光採光システムの第７変形例の構成を示す断面図である。図１１に示されるように、室内空間Ｒ２に隣接するさらに他の室内空間Ｒ３との間の間仕切壁１９’に、内壁側光導入部１４’を形成すれば、室内空間Ｒ３までも照明することができる。
【００６０】
（実施形態の第８変形例）
図１２は、太陽光採光システムの第８変形例の構成を示す断面図である。図１２に示されるように、室内空間Ｒ２に、幅方向に間隔を空けて複数の反射部材（室内側太陽光進行方向変換部）１０３を設けるようにし、これら反射部材１０３で太陽光Ｓ１、Ｓ３の一部を室内空間Ｒ２に照射させ、残部で隣の室内空間Ｒ３に照射させるようにしてもよい。
【００６１】
また、図１２に示したような構成において、反射部材１０３の設置角度を変えることで、太陽光Ｓ１、Ｓ２の室内空間Ｒ２への照射と、太陽光Ｓ１、Ｓ２の室内空間Ｒ３への照射とを切り替え可能とすることもできる。
【００６２】
（実施形態の第９変形例）
図１３は、太陽光採光システムの第９変形例の構成を示す断面図である。図１３に示されるように、内壁側光導入部１４’を開閉する開閉部材１０５を備えることで、他の室内空間Ｒ２の照明は適宜選択して実施できるようにしてもよい。
この場合、開閉部材１０５で、室内空間Ｒ２側を向く面を、光を反射する反射性を有するようにしてもよい。
【００６３】
（その他の変形例）
また、太陽光採光ユニット２０は、支持材９２Ａ，９２Ｂで吊り下げるようにしたが、これに限らない。太陽光採光ユニット２０を、外壁部１２に設けるブラケット等により下方から支持するようにしてもよい。
【００６４】
また、上記実施形態で、上板部５０の中間透過部５３をハーフミラーにより形成してもよい。これにより、ユニット本体２５の内部に入射した太陽光Ｓ０のうち、底板部３０の前部平板部３１の上面３１ｔと、上板部５０の前部反射部５２の下面５２ｕとの間で反射した太陽光Ｓ２が、上方かつ斜め後方に向かって中間透過部５３に照射されたときに、太陽光Ｓ２が外部に透過するのを抑え、後部出射部７０側に向かう光量を増やすことができる。
【００６５】
また、上板部５０の前部反射部５２の上面５２ｔと後部反射部５４の上面５４ｔとは、光反射性を維持するための汚れの付着を防ぐよう、例えば、水が溜まりにくいような傾斜、防汚表面仕上げ、鳥類が止まらないように細かい棘の付加等を行うようにしてもよい。
【００６６】
加えて、例えば、導光部８０は、いかなる構成としてもよく、その角度を手動あるいは自動で調整できるようにしても良い。例えば太陽を追尾して、角度が自動的に調整されるようにしてもよい。
【００６７】
また、外壁側光導入部１３と内壁側光導入部１４との間で、建物１１内に入射した太陽光Ｓ１、Ｓ４が、そのまま外壁側室内空間Ｒを透過するようにしてもよいが、外壁側光導入部１３と内壁側光導入部１４との間に筒状のダクトを設け、太陽光Ｓ１、Ｓ４がダクト内を通るようにしてもよい。
また、下部開口部１５は、必須の構成ではなく、太陽光採光ユニット２０は、下部開口部１５の上方以外の部分に設けてもよい。
これ以外にも、本発明の主旨を逸脱しない限り、上記実施の形態で挙げた構成を取捨選択したり、他の構成に適宜変更したりすることが可能である。
【符号の説明】
【００６８】
１０  太陽光採光システム
１１  建物
１２  外壁部
１３  外壁側光導入部（第一太陽光導入部）
１４  内壁側光導入部（第二太陽光導入部）
１７  開口部
１８  窓部材（窓）
１９、１９’  間仕切壁
２０  太陽光採光ユニット
２０ｆ  先端部
２０ｒ  基端部
２５  ユニット本体
３３、３３’  中間反射部（本体内反射部）
５１  第一採光部（先端側採光部）
５２  前部反射部
５２ｔ  上面（上面太陽光反射部）
５３  中間透過部（太陽光透過部）
５４  後部反射部
５４ｔ  上面（上面太陽光反射部）
６０  第二採光部（先端側採光部）
７０  後部出射部（太陽光出射部）
８０  導光部（太陽光進行方向変換部）
１００  光拡散部材（室内側太陽光進行方向変換部）
１０１  光反射部材（室内側太陽光進行方向変換部）
１０２  光反射部材（室内側太陽光進行方向変換部）
１０３  反射部材（室内側太陽光進行方向変換部）
Ｒ２  室内空間
Ｓ０〜Ｓ１１  太陽光
【図１】
2017142979.tif 000003
【図２】
2017142979.tif 000004
【図３】
2017142979.tif 000005
【図４】
2017142979.tif 000006
【図５】
2017142979.tif 000007
【図６】
2017142979.tif 000008
【図７】
2017142979.tif 000009
【図８】
2017142979.tif 000010
【図９】
2017142979.tif 000011
【図１０】
2017142979.tif 000012
【図１１】
2017142979.tif 000013
【図１２】
2017142979.tif 000014
【図１３】
2017142979.tif 000015